(57)【特許請求の範囲】
【請求項１】
円筒表面に布、フェルト等のシートの清掃材料が巻回され、軸の両端が回動自在に枢支された拭き取りロールと、
前記軸の両端を回動自在に枢支する一対のテイクアップユニットと、
このテイクアップユニットを上下方向へスライド可能に支承する一対のテイクアップフレームと、
このテイクアップフレームの上端に装着された一対のエアーシリンダーと、
軸の片方のテイクアップユニットに近接した外側に遊嵌された歯車及びこの歯車と噛合する位置のテイクアップフレームに取り付けられたラックと、
前記歯車に近接した外側にキー止めして装着され、外環が歯車に固定されたカムクラッチとを具備し、前記エアーシリンダーは電磁バルブの操作により、拭き取りロールをドラムの表面と接触した位置から間欠的に上昇、下降させることを特徴とするドラム表面拭き取り装置。
【請求項２】
前記拭き取りロールの円筒外周には所定厚さのゴムライニングが施され、このゴムライニングには１８０度対称の位置の長手方向に丸棒が嵌入される溝が設けられ、外周に巻回された清掃材料が丸棒により取外し可能に固定されていることを特徴とする請求項１記載のドラム表面拭き取り装置。
【請求項３】
前記拭き取りロールの円筒外周には所定厚さのゴムライニングが施され、このゴムライニングには１８０度対称の位置の長手方向に細い溝が設けられ、外周に巻回された清掃材料の先端が弾発的に挟持されていることを特徴とする請求項１記載のドラム表面拭き取り装置。
【請求項４】
前記エアーシリンダーは、拭き取りロールの上昇が中間の所定の位置に規制できるよう構成されていることを特徴とする請求項１記載のドラム表面拭き取り装置。
【請求項５】
前記一対のテイクアップフレームの下端には一対のテイクアップユニットのそれぞれの下降位置を規制する調節可能なストッパーがそれぞれ設けられていることを特徴とする請求項１記載のドラム表面拭き取り装置。
【発明の詳細な説明】
【０００１】
【発明の属する技術分野】
本発明は、ドラムフレーカーやドラムドライヤーで、ドラムの表面に付着固化した製品の処理後、残品の拭き取りを行うドラム表面拭き取り装置に関するものである。
【０００２】
【従来の技術及び発明が解決しようとする課題】
ドラムフレーカー或いはドラムドライヤーで有機物等多成分でなる生成物を凝固或いは乾燥固化する場合、或いは単成分でも生成物が微粉になり易い場合等、通常の掻き取り装置（スクレーパー）のみでは、油分等が完全には掻き取られず、或いは微粉がドラム表面に残る場合がある。それらの場合、残部が回転と共に給液面に達し、繰り返し給液されると、焦げ付き、過度の密着等が起こり、スクレーパーへの衝撃によりスクレーパーの刃こぼれが起きたり、或いは油脂分の残りにより、給液しても熱伝導が阻害され、凝固或いは乾燥度が悪くなる。
【０００３】
そのため従来は、その都度運転を止めて表面を布やブラシで清掃するか、ドラム上面の長手方向にブラシを配設し、運転中に残品の拭き取りを行っていたが、ブラシの目詰りのため所期の目的を達しえなかった。
【０００４】
本発明は、前述した事情に鑑みてなされたものであり、円筒形の拭き取りロールに清掃材料を交換可能に巻回し、これを間欠的に上下動（接離）させる際に回転させ、新しい拭い部分をドラムに当接させることにより、従来の欠点を解消したドラム表面拭き取り装置を提供せんとするものである。
【０００５】
【課題を解決するための手段】
その目的のため、本発明のドラム表面拭き取り装置は、円筒表面に布、フェルト等のシートの清掃材料が巻回され、軸の両端が回動自在に枢支された拭き取りロールと、
前記軸の両端を回動自在に枢支する一対のテイクアップユニットと、
このテイクアップユニットを上下方向へスライド可能に支承する一対のテイクアップフレームと、
このテイクアップフレームの上端に装着された一対のエアーシリンダーと、
軸の片方のテイクアップユニットに近接した外側に遊嵌された歯車及びこの歯車と噛合する位置のテイクアップフレームに取り付けられたラックと、
前記歯車に近接した外側にキー止めして装着され、外環が歯車に固定されたカムクラッチとを具備し、前記エアーシリンダーは電磁バルブの操作により、拭き取りロールをドラムの表面と接触した位置から間欠的に上昇、下降させるものである。
【０００６】
従って、拭き取りロールは、間欠点に上下動する際にロールが回動し、ドラムに当接する拭き取りロールの位置が変る。
【０００７】
また、本発明の前記拭き取りロールの円筒外周には所定厚さのゴムライニングが施され、このゴムライニングには１８０度対称の位置の長手方向に丸棒が嵌入される溝が設けられ、外周に巻回された清掃材料が丸棒により取外し可能に固定されている。
【０００８】
従って、清掃材料を拭き取りロールに巻回し、丸棒で清掃材料の両端を溝に嵌入させれば、清掃材料を着脱可能に取り付けることができる。
【０００９】
また、本発明の前記拭き取りロールの円筒外周には所定厚さのゴムライニングが施され、このゴムライニングには１８０度対称の位置の長手方向に細い溝が設けられ、外周に巻回された清掃材料の先端が弾発的に挟持されている。
【００１０】
従って、清掃材料を拭き取りロールに巻回し、薄い板状のエッジで清掃材料の両端を細い溝に押し込むと、ゴムの弾性により清掃材料は着脱可能に固定される。
【００１１】
また、本発明の前記エアーシリンダーは、拭き取りロールの上昇が中間の所定の位置に規制できるよう構成されている。
【００１２】
従って、拭き取りロールの歯車がラックの上端から外れない位置まで上昇するようセットすることができる。また、拭き取りロールの回転角度を調節できる。
【００１３】
さらに、本発明の前記一対のテイクアップフレームの下端には一対のテイクアップユニットのそれぞれの下降位置を規制する調節可能なストッパーがそれぞれ設けられている。
【００１４】
従って、拭き取りロールがドラム表面に均一に密着するよう調整することができ、かつ、密着過度にならいようにセットすることが可能となる。
【００１５】
【発明の実施の形態】
以下、添付図に基づいて本発明の実施の形態を説明する。
図１は、本発明のドラム表面拭き取り装置の図で、図２のＡ−Ａ線断面図を示す。
図２は、本発明のドラム表面拭き取り装置の一方側の一部分を切断した側面図、図３は、本発明のドラム表面拭き取り装置の他方側の一部分を切断した側面図、図４は、図２のＢ−Ｂ線矢視図、図５は拭き取りロールの部分斜視図、図６は、清掃材料の図で、（ａ）は正面を、（ｂ）は側面を示し、図７は拭き取りロールの廻り止めの図で、（ａ）は正面を、（ｂ）は縦断面を示す。
また、図８は、本発明のドラム表面拭き取り装置が適用されるドラムフレーカーの正面図である。
【００１６】
拭き取りロール６１は図５に示すように、円筒外周に所定厚さのゴムライニング６１ａが施されており、このゴムライニング６１ａには１８０度対称の位置の長手方向に丸棒６１ｂ，６１ｂが嵌入される溝６１ｃ，６１ｃが設けられ、図６に示すような布（織布でも不織でも良い）のシート６１ｄの一方に丸棒６１ｂが巻かれた状態で、ミシンまたは糊付けで止められており、この丸棒６１ｂを図５に示すように一方の溝に嵌入させ、布のシート６１ｄの他方を持って１巻半巻き付ける。布のシート６１ｄの他端をもう１本の丸棒６１ｂに巻き付けて他方の溝に押し込む。そして、丸棒６１ｂが浮き上がらないように、図７に示すブラケット６４の孔６４ａ，６４ｂに丸棒６１ｂ，６１ｂを差し込みながら軸６１ｅの両端に嵌め込みビス孔６４ｃ，６４ｄに止ビス６４ｅ，６４ｅ（図３）螺着して丸棒６１ｂ，６１ｂを固定する。しかる後、横の止ビス孔６４ｆに止ビス６４ｅを螺着し、ブラケット６４を軸６１ｅの両端から抜けないように固定する。丸棒６１ｂを差し込む片方の孔６４ａは長孔になっており、これにより２本の丸棒６１ｂ，６１ｂは溝底に確実に押し付けられる。
前記布のシート６１ｄの代りにフェルトのシートを用いて前記のように取り付けても良い。また、円筒外周にゴムライニングを施さず、円筒状の金属の円筒外周に布、フェルト、スポンジ等の清掃材料を巻回し、両端をバンドで着脱可能に取り付けても良い。
【００１７】
図１，２，３，４及び８において６２はテイクアップユニットで、軸６１ｅの両端に配設され、拭き取りロール６１を回動自在に枢支している。
【００１８】
一対のテイクアップユニット６２，６２は、それぞれテイクアップフレーム６３，６３に上下方向へスライド可能に支承されている。
そして、一対のテイクアップフレーム６３，６３の上端にはそれぞれ中間停止機能付のエアーシリンダー６５，６５が取り付けられ、電磁バルブにより拭き取りロール６１の上昇が中間の所定の位置で規制できるようになっており、拭き取りロール６１の後述する歯車６１ｆがラック６３ａの上端から外れない位置まで上昇するようになっている。
【００１９】
また、一対のテイクアップフレーム６３，６３の下端にはテイクアップユニット６２，６２の下降位置を規制する調節可能なストッパー６３ｂ，６３ｂがそれぞれ設けられ、ストッパー６３ｂ，６３ｂを調節することにより、拭き取りロール６１がドラム１０表面に均一に密着し、かつ、密着過度にならないようにセットすることができる。
【００２０】
そして、軸６１の片方のテイクアップユニット６２に近接した外側には歯車６１ｆと、この歯車６１ｆに噛合する位置のテイクアップフレーム６３にラック６３ａが取り付けられ、さらに歯車６１ｆに近接した外側にカムクラッチ６１ｇが取り付けられ、このカムクラッチ６１ｇの外環はボルト６１ｈにて歯車６１ｆに固定されている。
【００２１】
そして、ドラム１０が回転して図８に示すドラムフレーカーが運転中、本発明のドラム表面拭き取り装置は下記の如く作動する。
【００２２】
エアーシリンダー６５，６５には電磁弁を通して圧気が送られており、図１，４及び８に示すように拭き取りロール６１がドラム１０に圧接している。そして図示しない電気回路を通じて間欠的に電磁バルブが操作され、拭き取りロール６１はエアーシリンダー６５，６５の全ストロークの中間の所定の位置まで上昇する（図４に２点鎖線で示す）。この時、軸に遊嵌された歯車６１ｆはラック６３ａと噛合して図１の矢印Ｃと反対方向に回転し、カムクラッチ６１ｇの外環６１ｉを回転させるが、カムクラッチ６１ｇは作動せず、従って、拭き取りロール６１は不回転のまま図４の２点鎖線の位置まで上昇する。次に電磁バルブが逆方向に戻って拭き取りロール６１が下降し、同時に歯車６１ｆが矢印Ｃ方向に回転して、カムクラッチ６１ｇを作動させて拭き取りロール６１を矢印Ｃ方向に回転させるので、拭き取りロール６１は所定の角度回転し、円周上の新しい箇所がドラム１０表面と接触する。
【００２３】
エアーシリンダー６５，６５は中間停止機能付きであるので、拭き取りロール６１が上昇の際の停止位置を調節することにより歯車６１ｆがラック６３ａから外れないようにしたり、上昇距離Ｌ（図４）を調節すると、拭き取りロール６１の回転角度が変化し、拭き取りロール６１上の希望する位置がドラム１０と接触するよう調節可能である。
【００２４】
図８は出願人が先に出願したトップフィードとデイップフィードが同一機種でできる多目的溶液固化装置に本発明のドラム表面拭き取り装置を取り付けた図であるが、トップフィード専用のドラムフレーカーであっても、またはディップフィード専用のドラムフレーカーであっても適用可能であり、更にドラムドライヤーにも適用可能である。
【００２５】
図８において、溶液を液槽３４から滴下させ、ドラム１０をｂ方向に回転させ、下向きスクレーパー４０で処理物を掻き落した場合はトップフィードとなり、この場合はドラム表面拭き取り装置６０は図の位置が最適である。
また、図８において溶液を鍋２０に補給しつつ、ドラム１０を矢印ａ方向に回転させ、上向きスクレーパー５０で処理物を掻き落す場合は、図示してないが上向きスクレーパー５０と鍋２０との間に配設するのが良い。
図において、１２はドラム回転用の原動機、１２ａ，１３ａは、それぞれスプロケットホイール、１４は駆動用のチェーンである。
【００２６】
【発明の効果】
以上、説明した本発明によれば下記のような効果を奏するものである。
（１）掻き取り残に新しい液が２重３重に固着する事が避けられ、過度の固着によるスクレーパーの損耗が避けられる（請求項１）。
【００２７】
（２）多成分中の油脂分等はスクレーパーにて掻き取りが残る事が多く、ドラム面の汚れとなり、新液の付着が阻害され、生産量が低下するが、拭き取り装置を付け、ドラム表面を清掃する事により、生産量が回復できる（請求項１）。
【００２８】
（３）拭き取り用の織布、フェルト或いはスポンジ等のコストは安価であり且つ洗剤等を含ませる事で、より一層清掃効果が上がる。乾布でも良い（請求項１）。
【００２９】
（４）布、フェルト等の清掃材料の取替が簡単である（請求項２，３）。
【００３０】
（５）拭き取りロールの上昇が中間の所定の位置で止まるので、上昇し過ぎて歯車がラックから外れることがなく、かつ、拭き取りロールの回転角度を種々変更することができる（請求項４）。
【００３１】
（６）テイクアップフレームの下端にストッパーが配設されているので、これを調節することにより拭き取りロールがドラムに平均に当接し、かつ、密着過度にならない（請求項５）。
【図面の簡単な説明】
【図１】本発明の一実施の形態を示すドラム表面拭き取り装置の図で、図２のＡ−Ａ線断面を示す。
【図２】本発明の一実施の形態を示し、ドラム表面拭き取り装置の一方側の一部分を切断した側面図である。
【図３】本発明の一実施の形態を示し、ドラム表面拭き取り装置の他方側の一部分を切断した側面図である。
【図４】図２のＢ−Ｂ線矢視図である。
【図５】本発明の拭き取りロールの部分斜視図である。
【図６】本発明の拭き取りロールに巻回される清掃材料の図で、（ａ）は正面を、（ｂ）は側面を示す。
【図７】本発明の拭き取りロールの廻り止めの図で、（ａ）は正面を、（ｂ）は縦断面を示す。
【図８】本発明のドラム表面拭き取り装置が適用されるドラムフレーカーの正面図である。
【符号の説明】
１０  ドラム
６０  ドラム表面拭き取り装置
６１  拭き取りロール
６１ａ  ゴムライニング
６１ｂ  丸棒
６１ｃ  溝
６１ｄ  布のシート
６１ｅ  軸
６１ｆ  歯車
６１ｇ  カムクラッチ
６２  テイクアップユニット
６３  テイクアップフレーム
６３ａ  ラック
６３ｂ  ストッパー
６４  ブラケット
６５  エアーシリンダー
【図１】
0003569733.tif 000002
【図２】
0003569733.tif 000003
【図３】
0003569733.tif 000004
【図４】
0003569733.tif 000005
【図５】
0003569733.tif 000006
【図６】
0003569733.tif 000007
【図７】
0003569733.tif 000008
【図８】
0003569733.tif 000009